(57)【特許請求の範囲】
【請求項１】
表示手段を搭載する移動体による広告表示の広告管理システムであって、
上記広告管理システムは、
上記移動体に表示させる広告を管理するシステム管理装置と、
上記表示手段に広告を表示する、上記移動体に搭載される移動体側搭載装置と、
上記移動体側搭載装置が上記システム管理装置と通信するための通信部として機能する携帯端末装置とを含み、
上記システム管理装置は、
上記移動体側搭載装置との情報の送受信を、上記携帯端末装置を介して行う通信手段と、
上記表示手段での広告表示を希望する依頼者からの、上記移動体の移動条件を示す移動条件情報および広告を記憶する情報記憶手段と、
上記通信手段により受信された上記移動体の移動条件情報に基づいて上記広告を検索し、上記移動体に送信する広告を選択する表示情報選択手段とを備え、
上記通信手段は、
上記携帯端末装置から受信した上記移動条件情報に応じて上記表示情報選択手段によって選択された広告を、該携帯端末装置を介して上記移動体側搭載装置に供給するとともに、
当該システム管理装置と提携する提携先のサービスを享受するために該提携先の端末装置に対して利用可能な情報表示ポイントを、上記広告を表示した移動体側搭載装置の携帯端末装置に供給し、
上記移動体側搭載装置は、
上記移動体の走行位置を検出する位置検出手段と、
上記表示手段に、走行案内のための地図情報または走行ルート情報、ならびに、上記携帯端末装置を介して上記システム管理装置から受信した広告を表示させる表示制御手段とを備え、
上記位置検出手段が検出した走行位置を少なくとも含む、上記移動体の移動条件情報を、上記携帯端末装置を介して上記システム管理装置に送信し、
上記携帯端末装置は、
上記移動体側搭載装置が上記表示手段に広告を表示したことにより与えられる上記情報表示ポイントを、上記システム管理装置から受信し、
上記情報表示ポイントを用いてのサービス享受を、上記提携先の端末装置と通信することにより行うことを特徴とする広告管理システム。
【請求項２】
上記携帯端末装置は、
広域通信網を介して上記システム管理装置と通信し、
近距離通信手段を介して上記移動体側搭載装置、または、上記提携先の端末装置と通信することを特徴とする請求項１に記載の広告管理システム。
【請求項３】
表示手段を搭載する移動体に表示させる広告を管理するシステム管理装置であって、
上記表示手段に広告を表示する、上記移動体に搭載される移動体側搭載装置との情報の送受信を、該移動体側搭載装置の通信部として機能する携帯端末装置を介して行う通信手段と、
上記表示手段での広告表示を希望する依頼者からの、上記移動体の移動条件を示す移動条件情報および広告を記憶する情報記憶手段と、
上記通信手段により受信された上記移動体の移動条件情報に基づいて上記広告を検索し、上記移動体に送信する広告を選択する表示情報選択手段とを備え、
上記通信手段は、
上記携帯端末装置から受信した上記移動条件情報に応じて上記表示情報選択手段によって選択された広告を、該携帯端末装置を介して上記移動体側搭載装置に供給するとともに、
当該システム管理装置と提携する提携先のサービスを享受するために該提携先の端末装置に対して利用可能な情報表示ポイントを、上記広告を表示した移動体側搭載装置の携帯端末装置に供給することを特徴とするシステム管理装置。
【請求項４】
上記通信手段により受信された上記移動体の移動ルートに基づいて、上記携帯端末装置に供給する情報表示ポイントを計算する情報表示料計算手段を備えていることを特徴とする請求項３に記載のシステム管理装置。
【請求項５】
上記移動体側搭載装置の携帯端末装置に与える情報表示ポイントが高くなる移動ルートを検索する移動案内管理手段を備え、
上記通信手段は、上記移動ルートを示す移動ルート情報を、上記携帯端末装置を介して上記移動体側搭載装置に供給することを特徴とする請求項４に記載のシステム管理装置。
【請求項６】
上記携帯端末装置は、
広域通信網を介して上記システム管理装置と通信し、
近距離通信手段を介して上記移動体側搭載装置、または、上記提携先の端末装置と通信することを特徴とする請求項３から５までのいずれか１項に記載のシステム管理装置。
【請求項７】
システム管理装置から供給された広告を、移動体に搭載される表示手段に表示する移動体側搭載装置であって、
上記移動体の走行位置を検出する位置検出手段と、
上記表示手段に、走行案内のための地図情報または走行ルート情報、ならびに、当該移動体側搭載装置の通信部として機能する携帯端末装置を介して上記システム管理装置から受信した広告を表示させる表示制御手段とを備え、
上記位置検出手段が検出した走行位置を少なくとも含む、上記移動体の移動条件情報を、上記携帯端末装置を介して上記システム管理装置に送信し、
上記表示手段に広告を表示したことにより上記システム管理装置から与えられる、上記システム管理装置と提携する提携先のサービスを享受するために該提携先の端末装置に対して利用可能な情報表示ポイントは、上記携帯端末装置にて受信されることを特徴とする移動体側搭載装置。
【請求項８】
上記携帯端末装置は、
広域通信網を介して上記システム管理装置と通信し、
近距離通信手段を介して当該移動体側搭載装置、または、上記提携先の端末装置と通信することを特徴とする請求項７に記載の移動体側搭載装置。
【請求項９】
システム管理装置から供給された広告を、移動体に搭載される表示手段に表示する移動体側搭載装置の通信部として機能する携帯端末装置であって、
上記携帯端末装置は、
上記移動体側搭載装置が生成した上記移動体の移動条件を示す移動条件情報を、上記システム管理装置に送信し、
上記移動条件情報に適した広告を上記システム管理装置から受信して、上記移動体側搭載装置に供給し、
上記移動体側搭載装置が上記表示手段に上記広告を表示したことにより与えられる、上記システム管理装置と提携する提携先のサービスを享受するために該提携先の端末装置に対して利用可能な情報表示ポイントを、上記システム管理装置から受信し、
上記情報表示ポイントを用いてのサービス享受を、上記提携先の端末装置と通信することにより行うことを特徴とする携帯端末装置。
【請求項１０】
広域通信網を介して上記システム管理装置と通信し、
近距離通信手段を介して上記移動体側搭載装置、または、上記提携先の端末装置と通信することを特徴とする請求項９に記載の携帯端末装置。
【請求項１１】
表示手段を搭載する移動体による広告表示の広告管理システムの制御方法であって、
上記広告管理システムは、
上記移動体に表示させる広告を管理するシステム管理装置と、
上記表示手段に広告を表示する、上記移動体に搭載される移動体側搭載装置と、
上記移動体側搭載装置が上記システム管理装置と通信するための通信部として機能する携帯端末装置とを含み、上記システム管理装置は、上記表示手段での広告表示を希望する依頼者からの、上記移動体の移動条件を示す移動条件情報および広告を記憶する情報記憶手段を備えており、
上記移動体側搭載装置が、上記移動体の走行位置を検出する位置検出ステップと、
上記移動体側搭載装置が、上記位置検出ステップにて検出した位置情報を少なくとも含む、上記移動体の移動条件情報を、上記携帯端末装置を介して上記システム管理装置に送信するステップと、
上記システム管理装置が、上記携帯端末装置から送信された上記移動体の移動条件情報に基づいて、上記情報記憶手段から上記広告を検索し、上記移動体に送信する広告を選択する表示情報選択ステップと、
上記システム管理装置が、上記表示情報選択ステップにて選択された広告を、上記携帯端末装置を介して上記移動体側搭載装置に供給するステップと、
上記移動体側搭載装置が、上記携帯端末装置を介して上記システム管理装置から受信した広告を、上記表示手段に、地図情報とともに表示させる表示制御ステップと、
上記システム管理装置が、当該システム管理装置と提携する提携先のサービスを享受するために該提携先の端末装置に対して利用可能な情報表示ポイントを、上記広告を表示した移動体側搭載装置の携帯端末装置に供給するステップと、
上記携帯端末装置が、上記移動体側搭載装置が上記表示手段に広告を表示したことにより与えられる上記情報表示ポイントを、上記システム管理装置から受信するステップと、
上記携帯端末装置が、上記情報表示ポイントを用いてのサービス享受を、上記提携先の端末装置と通信することにより行うステップとを含むことを特徴とする広告管理システムの制御方法。
【発明の詳細な説明】
【０００１】
【発明の属する技術分野】
本発明は、移動体を使用した情報表示ビジネスに適用できる移動体による情報表示の管理システム、プログラムおよび記録媒体に関するものである。
【０００２】
【従来の技術】
従来より、移動体としてバスや路面電車等の公共交通機関の車両を使用し、移動体の外面に表示した広告を宣伝媒体とする広告ビジネスが知られている。この場合、移動体への広告の表示は、移動体の車体に広告を印刷すること、広告が印刷されたシートを移動体の車体に貼着すること、あるいは広告が記載された看板を移動体に搭載することにより行われている。
【０００３】
この種の広告ビジネスでは、広告主と広告を表示する移動体の所有者との間で契約が結ばれ、移動体の予め指定されている運行予定、即ち走行ルート、走行予定時間帯および走行予定距離などに基づいて広告表示料が算定され、この広告表示料が広告主から移動体の所有者に支払われる。
【０００４】
しかしながら、このような手法による広告表示では、広告表示が可能な移動体の種類や、移動体の移動範囲が限定的であるため、種々の広告主からの広告表示依頼に応じることができず、また広告の種類によっては広告効果が限定的とならざるを得ない。さらに、移動体に一旦広告が表示されると、その広告は比較的長期の契約期間、移動体に表示されることになり、短期間の広告表示を希望する広告主に不向きである。また、多数の広告主からの広告表示依頼にも応じることができない。
【０００５】
一方、特開平１０−２０７４１３号公報には、表示装置を外部に向けた状態で移動体に搭載するとともに、送信装置から送信された情報を上記表示装置に表示させるシステムが提案されている。
【０００６】
このようなシステムでは、広告表示が可能な移動体としてバスなどの公共のあるいは業務用の車両ばかりでなく一般の車両も使用可能であるとともに、移動体の移動範囲も広範囲となり得る。したがって、広告の種類によっては比較的大きな広告効果も期待できる。
【０００７】
【発明が解決しようとする課題】
ところが、上記公報に記載の構成では、単に、送信装置から送信された情報を移動体の表示装置に表示するものであるため、表示装置に一旦表示された広告は、移動体の走行中、継続して表示されることになる。また、例えば一般車両からなる移動体は、公共交通機関の車両からなる移動体とは異なり、走行ルートや時間帯等を正確に予定することが困難である。また、走行予定を設定した場合であっても、道路事情や運転者の事情等により走行予定が変更され易く、予定通りの走行が行われるとは限らない。
【０００８】
したがって、例えば一般車両からなる移動体において、移動体の予定走行ルートや走行予定時間帯を考慮して移動体による広告効果を予測した場合には、上記のように移動体の走行予定が変更されることにより、予測通りの広告効果を得ることができない。
【０００９】
例えば移動体の走行状態や走行環境などの走行条件が変化した場合には、そのときの走行条件によりその移動体において広告効果が高くなる広告（表示情報）は変化する。このため、この場合に同一の広告表示を行っていても所望の広告効果は期待できない。さらには、移動体が走行するのに伴い、広告主が希望する移動体の走行条件（例えば走行地域）に対して、移動体が実際に走行している場合の走行条件（例えば走行地域）が異なるものとなった場合にも、同一の広告表示を継続することは適切でない。
【００１０】
したがって、本発明は、情報を表示する移動体の移動により、所望の情報表示効果を得ることができる移動体による情報表示の管理システム、プログラムおよび記録媒体の提供を目的としている。
【００１１】
【課題を解決するための手段】
上記の課題を解決するために、本発明の移動体による情報表示の管理システムは、外部用表示手段を搭載する移動体との情報の送受信を行う通信手段と、前記外部用表示手段での情報表示を希望する依頼者からの、前記移動体の移動条件を示す移動条件情報を含んだ依頼情報を記憶する表示依頼情報記憶手段と、前記通信手段により受信された前記移動体からの移動条件情報に基づいて前記依頼情報を検索し、前記移動体に送信する表示情報を選択する表示情報選択手段とを有するシステム管理装置を備えていることを特徴としている。
【００１２】
上記の構成によれば、システム管理装置では、表示依頼情報記憶手段が、外部用表示手段での情報表示を希望する依頼者からの、移動体の移動条件を示す移動条件情報を含んだ依頼情報を記憶しており、表示情報選択手段が、通信手段により受信された移動体からの移動条件情報に基づいて前記依頼情報を検索し、移動体に送信する表示情報を選択する。これにより、移動体では、システム管理装置から受信した情報を外部用表示手段に表示させることができる。
【００１３】
この管理システムでは、上記のように、表示情報選択手段が、移動体の移動条件を示す移動条件情報、例えば移動体の移動地域や天気に基づいて前記依頼情報を検索し、移動体の外部用表示手段に表示される表示情報を選択する。したがって、その移動条件で移動している移動体に適した表示情報を適切に選択することができ、これにより高い情報表示効果を得ることができる。
【００１４】
本発明の移動体による情報表示の管理システムは、外部用表示手段を搭載する移動体との情報の送受信を行う通信手段と、前記外部用表示手段での情報表示を希望する依頼者からの、前記移動体の移動条件を示す移動条件情報を含んだ依頼情報に基づいて、複数の移動体からの前記通信手段により受信された移動条件情報を検索し、情報表示依頼先の移動体を選択する移動体選択手段とを備えていることを特徴としている。
【００１５】
上記の構成によれば、システム管理装置では、移動体選択手段が、外部用表示手段での情報表示を希望する依頼者からの、移動体の移動条件を示す移動条件情報を含んだ依頼情報に基づいて、複数の移動体からの通信手段により受信された移動条件情報を検索し、情報表示依頼先の移動体を選択する。これにより、情報表示を依頼された移動体では、システム管理装置から受信した情報を外部用表示手段に表示させることができる。
【００１６】
この管理システムでは、上記のように、移動体選択手段が、移動体の移動条件を示す移動条件情報を含んだ依頼情報に基づいて、複数の移動体からの移動体の移動条件を示す移動条件情報、例えば移動体の走行地域や天気を検索し、情報表示依頼先の移動体を選択する。したがって、情報表示依頼先の移動体としてその表示情報に適した移動体を適切に選択することができ、これにより高い情報表示効果を得ることができる。また、この構成では、緊急の表示依頼があった場合にも対応可能である。
【００１７】
本発明の移動体による情報表示の管理システムは、システム管理装置、および移動体に搭載される移動体側搭載装置を備え、前記移動体側搭載装置が、情報の送受信を行う通信手段と、前記移動体の移動条件を示す移動条件情報を検出する移動条件検出手段と、移動体の外部へ向けて情報を表示する外部用表示手段と、この外部用表示手段に、前記システム管理装置から受信した情報を表示させる表示制御手段とを備え、前記システム管理装置が、情報の送受信を行う通信手段と、前記外部用表示手段での情報表示を希望する依頼者からの、前記移動条件検出手段にて検出可能な移動条件情報を含んだ依頼情報を記憶する表示依頼情報記憶手段と、前記通信手段により受信された前記移動条件情報に基づいて前記依頼情報を検索し、前記移動体側搭載装置に送信する表示情報を選択する表示情報選択手段とを備えていることを特徴としている。
【００１８】
上記の構成によれば、移動体側搭載装置の移動条件検出手段により移動体の移動条件情報が検出され、この情報がシステム管理装置に送信される。システム管理装置では、表示依頼情報記憶手段が、外部用表示手段での情報表示を希望する依頼者からの、移動条件検出手段にて検出可能な移動条件情報を含んだ依頼情報を記憶しており、表示情報選択手段が、通信手段により受信された移動条件情報に基づいて前記依頼情報を検索し、移動体側搭載装置に送信する表示情報を選択する。そこで、移動体側搭載装置の表示制御手段が、システム管理装置から受信した情報を外部用表示手段に表示させる。
【００１９】
この管理システムでは、上記のように、表示情報選択手段が、移動体の移動条件を示す移動条件情報、例えば移動体の移動地域や天気に基づいて前記依頼情報を検索し、移動体の外部用表示手段に表示される表示情報を選択する。したがって、その移動条件で移動している移動体に適した表示情報を適切に選択することができ、これにより高い情報表示効果を得ることができる。
【００２０】
本発明の移動体による情報表示の管理システムは、システム管理装置、および移動体に搭載される移動体側搭載装置とを備え、前記移動体側搭載装置が、情報の送受信を行う通信手段と、前記移動体の移動条件を示す移動条件情報を検出する移動条件検出手段と、移動体の外部へ向けて情報を表示する外部用表示手段と、この外部用表示手段に、前記システム管理装置から受信した情報を表示させる表示制御手段とを備え、前記システム管理装置が、情報の送受信を行う通信手段と、前記外部用表示手段での情報表示を希望する依頼者からの、前記移動条件検出手段にて検出可能な移動条件情報を含んだ依頼情報に基づいて、複数の移動体側搭載装置からの前記通信手段により受信された移動条件情報を検索し、情報表示依頼先の移動体を選択する移動体選択手段とを備えていることを特徴としている。
【００２１】
上記の構成によれば、移動体側搭載装置の移動条件検出手段により移動体の移動条件情報が検出され、この情報がシステム管理装置に送信される。システム管理装置では、移動体選択手段が、外部用表示手段での情報表示を希望する依頼者からの、移動条件検出手段にて検出可能な移動条件情報を含んだ依頼情報に基づいて、複数の移動体側搭載装置からの通信手段により受信された移動条件情報を検索し、情報表示依頼先の移動体を選択する。そこで、情報表示を依頼された移動体側搭載装置の表示制御手段が、システム管理装置から受信した情報を外部用表示手段に表示させる。
【００２２】
この管理システムでは、上記のように、移動体選択手段が、移動条件検出手段にて検出可能な移動条件情報を含んだ依頼情報に基づいて、複数の移動体側搭載装置からの移動体の移動条件を示す移動条件情報、例えば移動体の走行地域や天気を検索し、情報表示依頼先の移動体を選択する。したがって、情報表示依頼先の移動体としてその表示情報に適した移動体を適切に選択することができ、これにより高い情報表示効果を得ることができる。また、この構成では、緊急の表示依頼があった場合にも対応可能である。
【００２３】
上記の管理システムにおいて、前記移動条件情報は、移動体自体の移動状態を示す移動状態情報と移動体が移動している環境を示す移動環境情報との少なくとも一方を含んでいる構成としてもよい。
【００２４】
上記の構成によれば、移動条件情報は、移動体自体の移動状態を示す移動状態情報、例えば走行速度と移動体が走行している環境を示す移動環境情報、例えば移動体が移動している地域を示す情報や天気との少なくとも一方を含んでいる。したがって、システム管理装置の表示情報選択手段や移動体選択手段は、移動体の移動条件情報に基づいて、移動体に適した表示情報や情報表示依頼先の移動体の選択を、高い表示効果を得る上で、適切に行うことができる。
【００２５】
上記の管理システムにおいて、前記移動状態情報は、移動体が移動している地域を示す情報である構成としてもよい。
【００２６】
上記の管理システムにおいて、前記移動状態情報は、移動中の移動体に表示されている情報についての人による視認のし易さに関するものである構成としてもよい。
【００２７】
上記の管理システムにおいて、前記移動環境情報は、移動体が移動している場所での人の密集度に関するものである構成としてもよい。
【００２８】
上記の構成によれば、システム管理装置の表示情報選択手段や移動体選択手段は、移動体の移動状態情報、移動環境情報に基づいて、移動体に適した表示情報や情報表示依頼先の移動体の選択を、高い表示効果を得る上で、適切に行うことができる。
【００２９】
上記の管理システムにおいて、前記システム管理装置は、さらに、前記通信手段により受信された前記移動条件情報に基づいて移動体での情報表示料を計算する情報表示料計算手段を備えている構成としてもよい。
【００３０】
上記の構成によれば、情報表示料計算手段は、通信手段により受信された移動体の移動条件情報、例えば移動体の走行速度や天気、あるいは人の密集度を示す情報に基づいて移動体での情報表示料を計算する。この場合、移動体の移動条件は、移動中の移動体に表示されている情報についての人による視認のし易さや、移動体が移動している場所での人（通行人）の密集度、即ち移動体による情報の表示効果に影響する。したがって、前記移動条件情報に基づいて計算された情報表示料は、移動体による情報の表示効果を適切に反映したものとなる。
【００３１】
また、情報表示料の計算は、移動体の移動予定によることなく、実際に移動体が移動しているときの前記移動条件情報に基づいて計算される。したがって、移動体が予め設定した移動予定、例えば走行時間帯や走行ルートを変更して移動した場合であっても、その移動に見合った、即ち情報表示効果を適切に反映した情報表示料を移動体に支払うことができる。
【００３２】
上記の管理システムにおいて、前記システム管理装置は、前記移動体側搭載装置からの要求に応じて、前記情報表示料が高くなる移動ルートを検索し、得られた移動ルート情報を通信手段を介して移動体側搭載装置に供給する移動案内管理手段を備え、前記移動体側搭載装置は、内部用表示手段と、通信手段を介して受信した前記移動ルート情報に基づき、前記内部用表示手段に移動体の移動ルートを示す移動案内手段とを備えている構成としてもよい。
【００３３】
上記の構成によれば、システム管理装置の移動案内管理手段は、移動体側搭載装置からの要求に応じて、情報表示料が高くなる移動ルートを検索し、得られた移動ルート情報を通信手段を介して移動体側搭載装置に供給する。移動体側搭載装置の移動案内手段は、システム管理装置から供給された移動ルート情報に基づき、内部用表示手段に移動体の移動ルートを表示させる。したがって、移動体は、システム管理装置からの移動ルート情報に基づいて、情報表示料が高くなる移動、即ち情報表示効果が高くなる移動を容易に行うことができる。
【００３４】
上記の情報表示管理システムは、前記情報表示料計算手段が情報表示料を情報表示ポイントとして算出するものであり、さらに、前記情報表示料計算手段により算出された前記情報表示ポイントを蓄積する情報表示ポイント蓄積手段と、前記情報表示ポイントを使用して商品を購入可能な提携先とを含んでいる構成としてもよい。
【００３５】
上記の構成によれば、移動体の運転手は、移動体での情報表示移動により得た情報表示ポイントを使用して、情報表示管理システムの提携先、例えばコンビニエンスストアやガソリンスタンドにおいて商品を購入可能となる。
【００３６】
本発明のプログラムは、移動体に搭載された外部用表示手段での情報表示を希望する依頼者からの、前記移動体の移動条件を示す移動条件情報を含んだ依頼情報を表示依頼情報記憶手段に記憶させる表示依頼情報記憶ステップと、外部用表示手段を搭載する移動体と通信する通信ステップと、この通信ステップにより受信された前記移動体からの移動条件情報に基づいて前記依頼情報を検索し、前記移動体に送信する表示情報を選択する表示情報選択ステップとをコンピュータに実行させることを特徴としている。
【００３７】
このプログラムを実行するコンピュータでは、表示情報選択ステップにおいて、移動体の移動条件を示す移動条件情報、例えば移動体の移動地域や天気に基づいて前記依頼情報を検索し、移動体の外部用表示手段に表示される表示情報を選択する。したがって、その移動条件で移動している移動体に適した表示情報を適切に選択することができ、これにより高い情報表示効果を得ることができる。
【００３８】
本発明のプログラムは、外部用表示手段を搭載する移動体と通信する通信ステップと、前記外部用表示手段での情報表示を希望する依頼者からの、前記移動体の移動条件を示す移動条件情報を含んだ依頼情報に基づいて、複数の移動体側搭載装置からの前記通信ステップにより受信された移動条件情報を検索し、情報表示依頼先の移動体を選択する移動体選択ステップとをコンピュータに実行させることを特徴としている。
【００３９】
このプログラムを実行するコンピュータでは、移動体選択ステップにおいて、移動体の移動条件を示す移動条件情報を含んだ依頼情報に基づいて、複数の移動体からの移動体の移動条件を示す移動条件情報、例えば移動体の走行地域や天気を検索し、情報表示依頼先の移動体を選択する。したがって、情報表示依頼先の移動体としてその表示情報に適した移動体を適切に選択することができ、これにより高い情報表示効果を得ることができる。また、この構成では、緊急の表示依頼があった場合にも対応可能である。
【００４０】
本発明の記録媒体は、上記プログラムを記憶したコンピュータ読み取り可能なものである。
【００４１】
【発明の実施の形態】
本発明の実施の一形態を図１ないし図１３に基づいて以下に説明する。
本実施の形態の移動体による情報表示の管理システム（以下、単に情報表示管理システムと称する）の概略構成は図２に示すものとなっている。同図に示すように、情報表示管理システムは、このシステムの管理会社１が使用するシステム管理装置１１、および移動体２に搭載される移動体側搭載装置１２を備えている。移動体側搭載装置１２は、例えば、管理会社１と契約した移動体２に対して管理会社１から貸与される。
【００４２】
システム管理装置１１と移動体側搭載装置１２とは、例えばインターネット１３を介して相互に通信するようになっている。なお、上記インターネット１３に代えてその他の通信手段、例えば、電話回線、無線あるいは他のネットワークが使用されてもよい。
【００４３】
上記インターネット１３には、その他、広告主４が使用する広告主端末装置１４、銀行５が使用する銀行端末装置（情報表示ポイント蓄積手段）１５、情報表示管理システムの提携店（提携先）６が使用する提携店端末装置１６、例えば自分が所有する移動体に広告を表示することを希望する者、即ち広告表示移動体希望者７が使用する移動体希望者端末装置１７が接続されている。なお、図２において、移動体２（移動体側搭載装置１２）、広告主４（広告主端末装置１４）、銀行５（銀行端末装置１５）、提携店６（提携店端末装置１６）および広告表示移動体希望者７（移動体希望者端末装置１７）等は、それぞれ一つのみ示しているが、これらは一つの管理会社１（システム管理装置１１）に対して複数存在する構成であってもよい。
【００４４】
管理会社１は、広告主４と移動体２との契約仲介業務、契約管理業務、広告表示料算定業務、広告主４からの広告表示料受け取り業務、移動体２への広告表示料の支払い業務等を行う。なお、管理会社１と広告主４と移動体２との関係は、広告主４と移動体２とがそれぞれ管理会社１のみと契約する形態であってもよい。また、移動体２側の契約者は、例えば、移動体２が個人で運営される場合にはその個人、例えば運転者であり、移動体２が会社で運営される場合にはその会社である。
【００４５】
管理会社１のシステム管理装置１１は、図１に示すように、通信部（通信手段）２１、コンピュータからなる制御部２２、契約済移動体データベース２６、広告表示依頼データベース２７、広告表示希望移動体データベース２８、提携店データベース２９を備えている。上記制御部２２は、表示ポイント計算部２３、ナビゲート管理部（移動案内管理手段）２４および移動体・広告主マッチング部（表示情報選択手段、移動体選択手段）２５を備えている。
【００４６】
契約済移動体データベース２６は、管理会社１と契約している移動体２（運転者）についての登録された情報、例えば運転者の住所、氏名、年齢、使用する移動体２の種類、例えば車種や形態、広告表示料、即ち広告表示ポイントの振込先となる銀行の口座番号、広告表示料残高（広告表示ポイント残高）、走行予定情報（目的地、走行地域、走行ルート、日時など）等を記憶している。
【００４７】
広告表示依頼データベース２７は、広告の依頼主（広告主）に関する情報、表示を依頼されている広告の種類、広告表示期間（広告表示時間）、広告を表示するときの天候、あるいは広告を表示した移動体２についての希望走行ルートや地域等についての情報を記憶している。これらの情報は例えば広告主端末装置１４から事前に入力される。
【００４８】
広告表示希望移動体データベース２８には、例えば、広告を表示することを希望する移動体２についての情報、例えば移動体２の走行可能エリア、希望走行ルート、走行希望時間、曜日、期間等が登録されている。さらには、移動体２の運転者や運営会社についての情報、例えば運転者の住所、氏名（代表者名）、年齢、電話番号、使用する移動体２の種類が登録されている。これらの情報は移動体希望者端末装置１７から事前に入力される。
【００４９】
提携店データベース２９は、広告表示ポイントによる商品購入が可能な提携店６についての情報、例えば提携店６の所在地や店名、インターネット上のアドレス、取り扱い商品、およびその他の情報を記憶している。これらの情報は、例えば提携店端末装置１６から入力される。
【００５０】
通信部２１は、インターネット１３を介して、インターネット１３に接続される他の装置と情報の送受信を行う。
【００５１】
表示ポイント計算部（情報表示料計算手段）２３は、移動体側搭載装置１２から受信した移動体２の移動条件情報としての走行条件情報（移動状態情報、移動環境情報）に基づいて、移動体２にて行われる広告表示に対して支払う広告表示料を計算する。ここでは、広告表示料が広告表示ポイントとして算出される。また、走行状態情報および走行環境情報は、これらの扱いを容易にするため、簡易ポイントに変換された状態で移動体側搭載装置１２から送信されてくる。したがって、表示ポイント計算部２３は、移動体側搭載装置１２から受信した走行状態情報および走行環境情報についての簡易ポイントを、広告効果を考慮した所定の換算基準に基づいて、広告表示ポイントに換算して集計する。
【００５２】
広告表示ポイントへの換算においては、移動体２が、それに表示されている広告をより多くの人に見てもらえるような走行条件下で走行する場合に、高いポイントが与えられるようになっている。表示ポイント計算部２３は、例えば、広告表示ポイントを容易に計算するために、各走行状態情報および各走行環境情報に応じた広告表示ポイント計算テーブルを予め備えている。
【００５３】
上記の走行状態情報としては、例えば移動体２の走行距離および走行速度がある。また、走行環境情報としては、例えば気象情報、移動体２の走行地域情報（移動体２の走行地域が市街地、郊外あるいは山中のいずれであるか等の情報）、通行人の密集度情報、走行日時情報および周辺映像がある。
【００５４】
また、表示ポイント計算部２３にて計算された広告表示ポイントは、運転者別（移動体２別）に契約済移動体データベース２６に蓄積されるとともに、通信部２１およびインターネット１３を介して銀行端末装置１５に送られる。銀行端末装置１５では、受信した広告表示ポイントを移動体２の運転者等の銀行口座に蓄積する。移動体２の運転者は上記広告表示ポイントを現金として引き出し可能である。あるいは、上記銀行口座における広告表示ポイントの残高に応じ、情報表示管理システムと提携している提携店６において商品を購入可能である。なお、提携店６は店舗を構えた店に限らず、広告表示ポイントにより商品を購入可能な対象であればよい。
【００５５】
移動体２の運転者等による商品の購入の際には、例えば銀行のカードあるいはカードに割り当てられた暗証番号が提携店端末装置１６に入力され、提携店端末装置１６がカードあるいは暗証番号を認識し、そのときの広告表示ポイントの使用量を銀行端末装置１５に連絡する。銀行端末装置１５では、提携店６での広告表示ポイントの使用量に応じて、その残高を減額する。提携店６は、例えばガソリンスタンド、コンビニエンスストアあるいは高速道路の料金所などである。
【００５６】
あるいは、移動体側搭載装置１２からの操作により、車内表示装置（内部用表示手段）３３に表示されている広告表示ポイントの残高に応じて、移動体側搭載装置１２とインターネット１３を介して接続されている提携店６より各種サービスを受けられるようにすることも可能である。このときにも広告表示ポイントの使用量が提携店端末装置１６から銀行端末装置１５に連絡され、以下同様の処理が行われる。なお、移動体側搭載装置１２の通信部３１（図３参照）が携帯端末装置からなる場合、この携帯端末装置のみを使用して上記処理が可能となる構成であってもよい。
【００５７】
また、移動体２の例えば運転者にポイントカードを発行し、このポイントカードに広告表示ポイントの残高を書き込み、このカードを使用して提携店６からの商品購入を可能とする構成としてもよい。この場合、ポイントカードの広告表示ポイント残高は、移動体２での走行により増加した場合や商品購入により減少した場合に、銀行端末装置１５や提携店端末装置１６において書き換えられるようにしてもよい。
【００５８】
ナビゲート管理部２４は、地図情報や上記広告表示ポイントが高くなる走行ルートについての情報を備え、これらを移動体２に供給する。この場合、ナビゲート管理部２４は、例えば、移動体２から送信されて来た、移動体２が走行する際の出発地から目的地までの情報と移動体２が表示する広告の種類とに基づいて、その移動体２の走行により高い広告効果を得る上で好ましいあるいは最適な走行ルート、即ち広告表示ポイントが高くなる走行ルート、例えば市街地もしくは繁華街を通るルートを検索し、地図情報とともに移動体２に与える。また、ナビゲート管理部２４は、移動体側搭載装置１２からの要求に応じて、最短ルートや時短ルートの情報も提供する。
【００５９】
移動体・広告主マッチング部２５は、広告表示依頼データベース２７に記憶されている広告表示依頼内容についての情報と、広告表示希望移動体データベース２８に記憶されている移動体２（運転者を含む）についての情報とを比較して、広告表示依頼内容に最も適した移動体２（運転者）を選び出し、その移動体２（運転者）に対して広告の表示を依頼する。
【００６０】
さらに、移動体・広告主マッチング部２５は、移動体側搭載装置１２から受信した移動体２の走行条件（走行状態情報、走行環境情報）に基づいて、その移動体２の車外表示装置（外部用表示手段）３６に表示するのに適した広告情報を広告表示依頼データベース２７を検索することにより抽出し、その広告情報（例えば広告画像）を移動体側搭載装置１２に供給する。この場合、移動体側搭載装置１２に供給する上記広告情報は、システム管理装置１１と広告主４との通信により予め広告表示依頼データベース２７に格納されていてもよく、あるいは上記検索により広告主４を特定した後、その広告主４の広告主端末装置１４から送信されるようにしてもよい。
【００６１】
移動体側搭載装置１２では、移動体・広告主マッチング部２５が指示する切換えタイミングにて、車外表示装置３６に表示する広告情報を、それまで表示していた広告情報から、システム管理装置１１より新たに受信した広告情報に切り換える。上記の切換えタイミングは、例えば広告主４との契約期間の終了時、広告主４との契約による広告表示時間の終了時（契約時間外となる時）、あるいは、移動体２の前記走行条件が広告主４が希望する走行条件に対して、所定の基準を越えて異なるものとなった時などに設定される。
【００６２】
なお、移動体・広告主マッチング部２５は、広告主４との契約終了あるいは契約時間外となることにより、表示する広告情報の切り換えを指示する場合、移動体２側で広告情報の受信待ちの状態が生じる前に、新たに表示を依頼する広告情報を抽出しておくようにしてもよい。
【００６３】
また、移動体２の走行条件に基づき表示する広告情報を切り換える場合のいくつかの例としては次のようなものがある。例えば、走行環境情報として得られた移動体２の走行位置が、広告主４が指定する広告表示地域から外れた場合、あるいは走行環境情報として得られた移動体２の走行地域の天候が、広告主４の指定する天候と異なるものとなった場合（例えば遊園地やプールの広告情報を表示しているときに、天候が晴れから雨に変わった場合、あるいは雨具の広告情報を表示しているときに、天候が雨から晴れに変わった場合など）である。
【００６４】
移動体側搭載装置１２は、図３に示すように、通信部（通信手段）３１、入力部３２、車内表示装置３３、記憶部３４、コンピュータからなる制御部３５、車外表示装置３６および走行条件センサ（移動条件検出手段）３７を備えている。制御部３５はナビゲート部（移動案内手段）３８、ポイント換算部３９および表示切換え部（表示制御手段）４０を備え、走行条件センサ３７は走行状態センサ４１および走行環境センサ４２を備えている。
【００６５】
通信部３１は、例えば携帯電話等の携帯端末装置からなり、無線通信によりインターネット１３に接続可能となっている。入力部３２は、キーボードやタッチパネル等の入力装置からなる。
【００６６】
車内表示装置３３は、移動体２の車内に設けられた例えば液晶表示装置からなる。この車内表示装置３３には、移動体側搭載装置１２がシステム管理装置１１と通信することにより移動体側搭載装置１２側から供給された情報等が表示される。
【００６７】
記憶部３４は、システム管理装置１１から供給された情報、例えば車外表示装置３６に表示するための表示情報（広告画像）や、地図情報や走行ルート情報を記憶する。また、走行状態センサ４１や走行環境センサ４２にて検出された情報等を記憶する。制御部３５は、入力部３２からの入力等に基づいて、移動体側搭載装置１２全体の動作を制御する。
【００６８】
車外表示装置３６は、移動体２の外面に設けられた、例えば大画面の表示装置である。この表示装置は、情報表示、即ち広告表示を行うためのものであり、例えば液晶表示装置、ＰＤＰ表示装置あるいはＥＬ表示装置等からなる。
【００６９】
走行条件センサ３７は、移動体２の走行条件を検出する。この走行条件には、移動体２の走行状態および走行環境が含まれ、走行状態は走行状態センサ４１にて検出され、走行環境は走行環境センサ４２にて検出される。
【００７０】
制御部３５のナビゲート部３８は、移動体２の位置を検出するとともに、システム管理装置１１のナビゲート管理部２４から供給された移動体２の走行案内のための地図情報や走行ルート情報を車内表示装置３３に表示させ、移動体２の走行案内を行う。なお、ナビゲート部３８では、例えばＧＰＳ（Global Positionig System）により、移動体２が走行している位置を検出可能である。
【００７１】
ポイント換算部３９は、前記走行条件センサ３７からの情報収集部であり、走行状態センサ４１および走行環境センサ４２にて検出された情報を、それら情報の扱いを容易にするため、例えばデジタル信号への処理により簡易ポイントに換算する。
【００７２】
ポイント換算部３９により得られた簡易ポイントは、通信部３１が例えば携帯電話等の携帯端末装置からなる場合、ケーブルまたはブルートゥースなどにより通信部３１に送られ、ここからシステム管理装置１１に送信される。
【００７３】
表示切換え部４０は、車外表示装置３６に表示する広告情報を、システム管理装置１１からの指示に基づいて、システム管理装置１１から新たに受信し、記憶部３４に格納された広告情報に切り換える。
【００７４】
広告主端末装置１４および移動体希望者端末装置１７はほぼ同様の構成であり、図４に示すように、キーボード等からなる入力部４１、表示装置４２、演算部４３およびインターネット１３に接続するための通信部４４を備えている。
【００７５】
銀行端末装置１５は、図５に示すように、キーボード等からなる入力部５１、表示装置５２、演算部５３、カード処理部５４およびインターネット１３に接続するための通信部５５を備えている。カード処理部５４は、例えば、移動体２の運転者により持ち込まれたクレジットカート等の前記カードに書き込まれた情報を読み取る。
【００７６】
演算部５３は、カード処理部５４でのカードの読み取りと入力部５１からの入力に基づき、例えば広告表示ポイントの残高に応じ、カード処理部５４より現金の払い出しを行う。また、演算部５３は、例えば、移動体２の銀行口座に新たに振り込まれた広告表示ポイント（広告表示料）を加算して、その残高を計算するとともに、通信部５５を通じて上記残高をシステム管理装置１１や要求に応じて提携店端末装置１６に連絡する。
【００７７】
提携店端末装置１６は、図６に示すように、キーボード等からなる入力部６１、表示装置６２、演算部６３、カード処理部６４およびインターネット１３に接続するための通信部６５を備えている。カード処理部６４は、例えば、移動体２の運転者により持ち込まれたカードの情報を読み取る。演算部６３は、通信部６５を介して銀行端末装置１５と通信し、前記カードに対応した銀行口座における広告表示ポイントの残高を確認する。また、演算部６３は、提携店６にて広告表示ポイントが使用されたときに、その使用分あるいはその使用分を差し引いた残高を通信部６５を介して銀行端末装置１５に連絡する。
【００７８】
ここで、移動体側搭載装置１２の走行条件センサ３７に検出される走行状態情報および走行環境情報、並びにシステム管理装置１１でのこれら情報に基づく広告表示ポイントの計算処理についてさらに詳細に説明する。
【００７９】
上記の走行状態情報としては、例えば移動体２の走行距離、走行速度がある。したがって、図７に示すように、走行状態センサ４１として、走行距離の測定には走行距離メーター、走行速度の測定にはスピードメーターをそれぞれ使用可能である。また、走行環境情報としては、例えば気象情報、移動体２の走行地域情報（移動体２の走行地域が市街地、郊外あるいは山中のいずれであるか等の情報）、人、特に通行人の密集度情報、および走行日時情報がある。したがって、走行環境センサ４２として、気象情報の検出には水滴検知センサあるいは気圧センサまたはこれらの両者、走行地域情報の検出には前記ナビゲーションシステム（ナビゲート部３８）、通行人密集度情報の検出にはＣＣＤカメラあるいは体温の検出により人の存在を検出するを温度センサ（例えば赤外線センサ）またはこれらの両者、走行日時情報の検出には時計（カレンダ内蔵）をそれぞれ使用可能である。周辺画像の検出にはＣＣＤカメラを使用可能である。この場合、例えばＣＣＤカメラにて撮影された画像が、表示ポイント換算部３９にて画像認識にされ、簡易ポイントに変換される。なお、ＣＣＤカメラおよび温度センサは、表示している広告を視認可能な方向での通行人の密集度を検出する。
【００８０】
上記のようにして検出される走行状態情報および走行環境情報について、表示ポイント換算部３９は例えば次のような基準にて検出情報を簡易ポイントに換算する。
【００８１】
走行距離は、広告表示時からの走行距離であり、その量に応じてポイントに換算される。走行速度は、一定時間の平均速度に応じて、ポイントに換算される。この場合、走行速度が遅いほど、広告を通行人に見てもらい易くなるので、ポイントが高くなる。さらに走行速度は一定速度であることが好ましい。
【００８２】
気象情報では、雨が降ればポイントが低くなる。走行地域情報でのポイントは、広告内容によって異なるものの、一般に、走行地域が市街地であれば最も高く、郊外、山中となるほど、低くなる。通行人密集度情報は、通行人の密集度が高いほど、ポイントが高くなる。走行日時情報は、通行人が多くなる日・時刻であり、かつ表示している広告を視認可能な時刻であるほどポイントが高くなる。なお、走行地域情報、通行人密集度情報および走行日時情報は、これらを総合してポイント化するようにしてもよい。
【００８３】
次に、システム管理装置１１とこれにインターネット１３を介して接続される装置との間で送受信される情報についてさらに説明する。図７に示したように、移動体側搭載装置１２からシステム管理装置１１へは、上記のように走行状態情報および走行環境情報が送信される。また、移動体側搭載装置１２は、システム管理装置１１から、前記ナビゲーション情報、広告表示料情報、広告主４や管理会社１からの依頼情報を受信する。これらは、車内表示装置３３に表示される。移動体側搭載装置１２の通信部３１が携帯電話等の携帯端末装置である場合、その携帯端末装置がシステム管理装置１１から送信される広告表示料の残高を記憶しており、その携帯端末装置を使用し、広告表示料の残高に応じて、銀行５からの出金、提携店６での支払いを可能とする構成であってもよい。この本人の確認は、暗証番号の入力、顔写真の表示、音声照合等や一般的なサイン等の手法を使用可能である。
【００８４】
システム管理装置１１は、図８に示すように、移動体側搭載装置１２から前記走行状態情報および走行環境情報や、ナビゲーションの要求（ルート検索要求）を受信する。また、広告主端末装置１４より契約情報、緊急の広告表示依頼情報、あるいは変更情報（広告の表示内容や走行内容についての変更依頼）などを受信する。これら情報を受けた場合、システム管理装置１１は、前述のようにして最適な移動体２を検索し、上記要望に答える。また、システム管理装置１１は、銀行端末装置１５および提携店端末装置１６より、銀行５、提携店６での移動体２の運転者による出金、支払い情報を受信する。
【００８５】
一方、システム管理装置１１は、移動体側搭載装置１２へ、広告主４や管理会社１からの要求に基づく前記変更情報を送信する。また、移動体側搭載装置１２へ、前述のナビゲーションサービスのため情報や広告表示料についての情報を送信する。また、システム管理装置１１は、広告主端末装置１４へ、移動体２の走行情報、および広告表示費用（請求金額）についての情報を送信する。また、システム管理装置１１は、銀行端末装置１５および提携店端末装置１６へ、移動体２の運転者が広告表示料（広告表示ポイント）を使用した場合の広告表示料の残高情報、並びに特記事項があればその情報を送信する。
【００８６】
システム管理装置１１と広告主端末装置１４とは、契約情報、広告主４からの広告表示についての緊急依頼情報、前記変更情報、移動体２の走行情報、広告表示料（請求金額）情報についての送受信を行う。また、システム管理装置１１と銀行端末装置１５および提携店端末装置１６とは、銀行５、提携店６での移動体２の運転者における出金、支払い情報、広告表示料（広告表示ポイント）の残高情報や特記事項についての情報の送受信を行う。また、移動体２の運転者が所有する、移動体側搭載装置１２の通信部３１としての携帯端末装置あるいはカード（例えば銀行のクレジットカード）が銀行端末装置１５、提携店端末装置１６において使用された場合には、出金、支払いサービスや広告表示料（広告表示ポイント）残高表示などが行われる。なお、クレジットカードが使用された場合の対応については、現状での一般的なクレジットカードの使用の場合と同様である。
【００８７】
上記の構成において、本情報表示管理システムの動作について説明する。
まず、広告表示依頼登録の処理について図９のフローチャートにより説明する。広告主４は、移動体２による広告表示を希望する場合、広告主端末装置１４によりシステム管理装置１１に対して広告表示依頼を行う。この際には、まず、広告主端末装置１４がシステム管理装置１１と通信を行い、広告主端末装置１４からシステム管理装置１１に広告表示依頼が送信される（Ｓ１）。
【００８８】
なお、この依頼は、広告主端末装置１４から行われるだけでなく、広告主４からの電話やファクシミリにより行われるものであってもよい。この場合、広告主４からの依頼内容は、オペレータがキーボードやマウス等の入力装置を操作して、システム管理装置１１に入力される。
【００８９】
システム管理装置１１では、広告主端末装置１４から広告表示依頼を受信すると、移動体・広告主マッチング部２５が広告表示希望移動体データベース２８を検索し（Ｓ２）、上記広告表示依頼に示された条件に適合する移動体２の有無を調べる。上記条件とは、例えば移動体２の走行地域、走行希望ルート、走行時間、曜日および期間等である。
【００９０】
上記検索の結果、条件に適合する移動体２が見つかった場合（Ｓ３）、システム管理装置１１（管理会社１）は、広告主４との契約処理を行う（Ｓ５）。
【００９１】
一方、Ｓ３において、条件に適合する移動体２が見つからなかった場合、移動体・広告主マッチング部２５は、広告主４（広告表示依頼）を広告表示依頼データベース２７に登録し（Ｓ４）、処理を終了する。
【００９２】
また、移動体・広告主マッチング部２５は、例えば広告表示希望移動体データベース２８を、適当な周期で、あるいは新たに広告表示希望移動体が登録される度に、広告表示希望移動体データベース２８を検索し、広告表示依頼データベース２７に登録されている広告表示依頼の条件に適合する移動体２の有無を検索する。そして広告表示依頼の条件に適合する移動体２が見つかれば、前記Ｓ５の契約処理が行われる。
【００９３】
次に、広告表示希望移動体の登録処理について図１０のフローチャートにより説明する。
例えば移動体２の所有者は、所有する移動体２に広告を表示することを希望する場合、移動体希望者端末装置１７によりシステム管理装置１１に対してその旨の申込みを送信する。この際には、まず、移動体希望者端末装置１７がシステム管理装置１１と通信を行い、移動体希望者端末装置１７からシステム管理装置１１に広告表示移動体の申込みが送信される（Ｓ１１）。
【００９４】
システム管理装置１１では、移動体希望者端末装置１７から広告表示移動体の申込みを受信すると、移動体・広告主マッチング部２５が広告表示依頼データベース２７を検索し（Ｓ１２）、上記広告表示移動体の申込みに示された条件に適合する広告表示依頼の有無を調べる。上記条件とは、例えば移動体２の走行地域、走行希望ルート、走行時間、曜日および期間等である。
【００９５】
上記検索の結果、条件に適合する広告主４（広告表示依頼）が見つかった場合（Ｓ１３）、システム管理装置１１（管理会社１）は、広告表示移動体希望者７との契約処理を行う（Ｓ１５）。
【００９６】
一方、Ｓ１３において、条件に適合する広告主４が見つからなかった場合、移動体・広告主マッチング部２５は、その移動体２（広告表示移動体の申込み）を広告表示希望移動体データベース２８に登録し（Ｓ１４）、処理を終了する。
【００９７】
また、移動体・広告主マッチング部２５は、例えば広告表示依頼データベース２７を、適当な周期で、あるいは新たに広告表示依頼が登録される度に検索し、広告表示希望移動体データベース２８に登録されている移動体２（広告表示移動体の申込み）の条件に適合する広告主４の有無を検索する。そして移動体２（広告表示移動体の申込み）の条件に適合する広告主４が見つかれば、前記Ｓ１５の契約処理が行われる。
【００９８】
次に、移動体２が広告を表示して走行する場合の情報表示管理システムの動作について説明する。この動作は、管理会社１と広告主４および広告表示移動体希望者７との契約が成立した後に行われる。まず、移動体側搭載装置１２での動作について図１１のフローチャートにより説明する。
【００９９】
移動体２が広告表示を行う場合、システム管理装置１１より広告情報（広告画像）が移動体側搭載装置１２に送信され、移動体側搭載装置１２は、受信した広告画像を記憶部３４に格納し、車外表示装置３６に表示させる。また、システム管理装置１１より、広告表示についての広告主４からの要望事項、例えば移動体２の走行地域等の走行内容についての要望事項を受信している場合、それを車内表示装置３３に表示させるようにしてもよい。
【０１００】
移動体側搭載装置１２では、移動体２の走行に際して、車内表示装置３３に、走行ルートについての通常／ナビの選択要求が表示される（Ｓ２１）。この選択要求は、システム管理装置１１からのナビゲーションによるルートに基づいて走行（ナビ走行）するか、このナビゲーションを使用せずに移動体２の運転者が選択するルートに基づいて走行（通常走行）するかの選択を問うものである。
【０１０１】
このルート選択において、運転者によりナビ走行が選択され（Ｓ２２）、入力部３２により出発地や目的地、優先項目等が入力されると（Ｓ２３）、それらの情報が通信部３１からインターネット１３を介してシステム管理装置１１に送信される（Ｓ２４）。上記の優先項目としては、例えば目的地への到達時間よりも広告表示ポイントを優先する等の項目である。あるいは逆に、到達時間を優先する項目、あるいは最短距離を優先する項目などである。
【０１０２】
移動体側搭載装置１２からナビゲーションの要求を受けたシステム管理装置１１のナビゲート管理部２４では、移動体２から送信されてきた上記情報に基づき、移動体２の走行ルートを検索し、その走行ルートを地図情報と共に移動体側搭載装置１２に送信する。
【０１０３】
移動体側搭載装置１２では、システム管理装置１１から走行ルートと地図情報を受信すると（Ｓ２５）、それらが記憶部３４に格納され、制御部３５のナビゲート部３８が、走行ルートを地図情報と共に車内表示装置３３に表示させる（Ｓ２６）。
【０１０４】
上記表示に対して、運転者により、検索した走行ルート（選択ルート）について了承の入力があれば（Ｓ２７）、Ｓ２８に移行する一方、検索した走行ルートが了承されず、拒否あるいは再検索の入力があれば、Ｓ２３に戻り、Ｓ２３〜Ｓ２７の処理を繰り返す。この場合、Ｓ２３において、新たに走行ルートの検索条件が入力され、それに基づいて走行ルートを検索するか、同じ条件（Ｓ２３において先に入力されている条件）に基づいて走行ルートの再検索を行う。
【０１０５】
Ｓ２８では、移動体２が走行を開始すると、移動体側搭載装置１２の走行条件センサ３７により、各走行条件が検出される（Ｓ２８）。
【０１０６】
走行条件センサ３７にて検出された走行状態情報および走行環境情報は、制御部３５のポイント換算部３９に入力され、ここで逐次、簡易ポイントに換算される（Ｓ２９）。
【０１０７】
上記のようにして得られた広告表示ポイントは、例えば、一旦記憶部３４に格納され、一定時間毎に記憶部３４から読み出され、システム管理装置１１に送信される（Ｓ３０）。
【０１０８】
移動体側搭載装置１２からシステム管理装置１１に送信された広告表示ポイントは、制御部２２の表示ポイント計算部２３において集計される。その結果が、移動体側搭載装置１２からシステム管理装置１１に送信される。また、表示ポイント計算部２３において集計された広告表示ポイントは、契約済移動体データベース２６に格納される。ここでの広告表示ポイントは、新たに広告表示ポイントが計算される度に更新される。
【０１０９】
移動体側搭載装置１２では、システム管理装置１１から広告表示ポイントの集計結果や銀行口座での広告表示ポイント残高を受信すると（Ｓ３１）、それらを車内表示装置３３に表示する（Ｓ３２）。これにより、移動体２の運転者は、ほぼ現在の広告表示ポイントを確認することができる。また、システム管理装置１１の表示ポイント計算部２３において、移動体２の予想走行ルートに基づいて広告表示ポイントの予測値が計算されている場合、その予測値を表示してもよい。さらに、移動体２の走行中に移動体２に対して広告主４や管理会社１からの新たに何らかの依頼事項が生じた場合、その情報も表示してもよい。これらは、システム管理装置１１からの受信情報に含まれる。
【０１１０】
また、移動体側搭載装置１２では、システム管理装置１１から車外表示装置３６に表示する広告情報の切り換え指示を受信すると（Ｓ３３）、表示切換え部４０が、その指示にしたがって、予めシステム管理装置１１から受信し記憶部３４に格納している新たな広告情報を、現在表示している広告情報と切り換えて車外表示装置３６に表示させる（Ｓ３４）。
【０１１１】
なお、車外表示装置３６に表示される広告情報は、車内表示装置３３にも常時あるいは表示当初のみ表示される構成としてもよい。また、移動体２の運転者は、車内表示装置３３での表示に基づいて広告内容を確認し、その広告情報を車外表示装置３６に表示することの了承または拒否を入力部３２において選択できるようにしてもよい。この場合、その広告情報の車外表示装置３６での表示は、了承が入力されると実行され、拒否が入力されると中止される。この選択結果は、移動体側搭載装置１２からシステム管理装置１１に送信され、システム管理装置１１の移動体・広告主マッチング部２５では、後述する図１２のＳ４２での処理において、再度、他の移動体２を抽出することになる。
【０１１２】
ここで、移動体２の運転者により通常走行からナビ走行への変更入力が行われると（Ｓ３５）、Ｓ２３に戻り、それ以下の処理を行う。ここでの上記変更入力は、例えば、車内表示装置３３における上記の広告表示ポイント残高や広告表示ポイント予測値を確認した運転者が、広告表示ポイントをさらに高めることを希望する場合に行われる。
【０１１３】
その後、移動体２が走行中である場合には（Ｓ３６）、Ｓ２９以下の処理が繰り替えされ（Ｓ３４）、移動体２の走行が終了すると、移動体側搭載装置１２は処理を終了する。このとき、記憶部３４に格納されており、システム管理装置１１へ未送信の簡易ポイントがあれば（Ｓ３７）、Ｓ３０に移行し、それをシステム管理装置１１に送信する。
【０１１４】
なお、広告表示ポイントの計算をどの時点にて終了するか、例えば移動体２が目的値に到達したときに終了する、あるいは目的地に到着した後も移動体２が走行している限り計算するなどといったことは、移動体２の運転者と管理会社１との契約により適宜設定されればよい。
【０１１５】
次に、移動体２が広告を表示して走行する場合のシステム管理装置１１での動作について図１２のフローチャートにより説明する。
【０１１６】
システム管理装置１１では、所定の移動体２に広告の表示を依頼した後、移動体側搭載装置１２からの走行ルートについてのナビゲーションの要求、走行条件情報について簡易ポイント、あるいは銀行端末装置１５からの広告表示ポイントの残高（もしくはそれに相当する金額）についての情報を受信すると（Ｓ４１）、それに応じた処理を行う（Ｓ４２）。
【０１１７】
即ち、システム管理装置１１が移動体側搭載装置１２からナビゲーションの要求を受信すると、ナビゲート管理部２４は、その要求に含まれる目的地や前記優先項目等の情報に基づいて、広告表示ポイントが高ポイントとなることを考慮し、最適な走行ルートを検索する。この情報は、地図情報と共に移動体側搭載装置１２に送信される。
【０１１８】
また、システム管理装置１１が移動体側搭載装置１２から例えば一定時間毎に送信される走行条件情報としての走行状態情報および走行環境情報を簡易ポイントとして受信すると、表示ポイント計算部２３は、各簡易ポイントを各移動体２別に（複数の移動体２を管理している場合）、かつ各項目（情報の種類）毎に集計する。さらに、この集計した簡易ポイントを、必要に応じて各情報（項目）毎に重み付けを行った後に合計し、広告表示ポイントを得る。このようにして得られた広告表示ポイントは、契約済移動体データベース２６に運転者別（移動体２別）に蓄積される。
【０１１９】
また、システム管理装置１１は、上記広告表示ポイント（あるいは広告表示ポイントに相当する金額）を、運転者（移動体２）が開設している所定の銀行口座に振り込む。また、広告表示ポイントについては、銀行との通信により残高を管理する。
【０１２０】
また、システム管理装置１１の移動体・広告主マッチング部２５は、移動体側搭載装置１２の車外表示装置３６に表示する広告情報の切り換えの要否について判断する。この判断は、前述のように、例えば広告主４との契約期間が終了したか否か、広告主４との契約による広告表示時間が終了したか否か（契約時間外となったか否か）、あるいは、上記簡易ポイントとして示された移動体２の走行条件が広告主４が希望する走行条件に対して所定の基準を越えて異なるものとなったか否かに基づいて行われる。この判断の結果、広告情報の切り換えを行う場合には、簡易ポイントとしての走行条件情報、例えば移動体２の走行地域情報や気象情報、走行日時情報等に基づいて、広告表示依頼データベース２７を検索し、その移動体２の車外表示装置３６に表示するのに適した広告情報を広告表示依頼データベース２７から抽出する。
【０１２１】
また、システム管理装置１１は、広告主端末装置１４（広告主４）より広告表示についての緊急依頼を受信している場合（Ｓ４７）、Ｓ４２において、その依頼内容に基づいて契約済移動体データベース２６を検索し、その広告情報の表示に適した移動体２を抽出する。
【０１２２】
システム管理装置１１は、上記処理を行った後、処理結果を移動体側搭載装置１２、広告主端末装置１４および銀行端末装置１５等へ送信する（Ｓ４４〜Ｓ４６）。
【０１２３】
即ち、移動体側搭載装置１２へは、移動体２からの要求に応じたナビゲーション情報（走行ルート、地図情報）、移動体２の走行予定に対しての広告表示ポイントについての予測値、および現時点での広告表示ポイントの残高や走行開始時点からの広告表示ポイントの合計等についての情報、切り換え表示用の広告情報、あるいは緊急表示用の広告情報等を送信する（Ｓ４４）。
【０１２４】
広告主端末装置１４へは、広告表示を依頼している移動体２の走行状態、例えば走行条件センサ３７によって検出される情報の少なくとも一部、移動体２の走行による広告効果の予測、および広告主４に請求する広告費用等についての情報を送信する（Ｓ４５）。銀行端末装置１５には、移動体２毎の銀行口座へ入金される広告表示ポイント（広告表示料）を送信する（Ｓ４６）。
【０１２５】
次に、システム管理装置１１（管理会社１）が広告主端末装置１４（広告主４）から図１２に示したＳ４７の緊急の広告表示依頼を受けたときのＳ４２での緊急依頼処理についてさらに図１３のフローチャートにより説明する。
【０１２６】
上記の緊急の広告（情報）表示依頼としては、例えばスーパーマーケットでのタイムサービス（時間制限の値引きサービス）の表示依頼や緊急のイベントの広告依頼、あるいは公的機関等からの災害情報の表示依頼などがある。
【０１２７】
広告主４において緊急の広告表示依頼が生じた場合、広告主４は、広告主端末装置１４を通じて、広告内容（広告情報、広告サイズ）、依頼内容（必要な移動体２の台数、走行時間帯、走行地域、走行ルート、走行速度等）などの情報をシステム管理装置１１に送信する（Ｓ５１）。なお、各依頼内容（要望）については、広告主４に例えば第１〜第３希望までを提示してもらうようにしてもよい。
【０１２８】
システム管理装置１１の移動体・広告主マッチング部２５では、緊急の広告表示依頼を受信すると、契約済移動体データベース２６を検索して、依頼内容に適合する移動体２の有無を判断する（Ｓ５２）。
【０１２９】
この場合、移動体・広告主マッチング部２５は、例えば、広告表示が要望されている地域での現在広告表示を行っていない移動体２（要望地域非表示移動体）の有無を検索し、（Ｓ５３）、そのような移動体２があれば、その移動体２の移動体側搭載装置１２に対して、広告表示についての前記依頼内容や広告情報、あるいは地図や走行ルート情報を送信する。なお、これら情報の送信は、移動体２側にて表示可否の判断を問う場合、表示可の判断結果を得た後に行うようにしてもよい。
【０１３０】
また、Ｓ５３において、要望地域非表示移動体がなければ、次に、広告表示が要望されている地域の近隣地域での現在広告表示を行っていない移動体２（近隣地域非表示移動体）の有無を検索し、（Ｓ５４）、そのような移動体２があれば、その移動体２の移動体側搭載装置１２に対して、同様に前記情報を送信する。
【０１３１】
また、Ｓ５４において、近隣地域非表示移動体がなければ、例えば現在広告表示を行っているが、その表示を切り換え可能な移動体２、あるいは広告表示の終了時間が迫っている移動体２などの、調整可能移動体の有無を検索し（Ｓ５５）、そのような移動体２があれば、その移動体２の移動体側搭載装置１２に対して、同様に前記情報を送信する。
【０１３２】
一方、Ｓ５３〜Ｓ５５での検索の何れにおいても移動体２を抽出することができなければ、Ｓ５２に戻り、システム管理装置１１（管理会社１）から広告主端末装置１４（広告主４）に対して、広告表示不可の旨を連絡する。この連絡を受けた、広告主４では条件を緩和して再度システム管理装置１１（管理会社１）に広告表示を依頼することも可能である。
【０１３３】
また、上記検索により抽出され、緊急の広告表示依頼を受けた移動体２では、その依頼内容が車内表示装置３３に表示され、運転者がその依頼内容に基づいて、広告表示可否の判断を行う（Ｓ５６）。その後、その可否（了承、拒否）の判断結果が入力部３２から入力され、システム管理装置１１に送信される。なお、システム管理装置１１からの緊急の広告表示依頼に対して、移動体２側では広告表示可否の判断を行うことなく、無条件で依頼された広告表示を行うようにしてもよい。なお、このときに表示広告を切り換える動作については、前述の通りである。
【０１３４】
また、移動体２において広告表示が拒否された場合、システム管理装置１１では、前記検索により抽出した他の移動体２に依頼する。あるいは、再度検索処理を行う。また、先の検索の結果、複数の移動体２が抽出された場合には、それら複数の移動体２に対して表示依頼を送信し、表示了承の回答があった移動体２のうちから適当な移動体２を選択して最終的に依頼するようにしてもよい。
【０１３５】
また、場合によっては、上記の処理を経ることなく、管理会社１から適当な移動体２に対して、携帯電話やインターネットを使用して直接に依頼してもよい。
【０１３６】
なお、図１１および図１２を使用して説明した、移動体・広告主マッチング部２５による移動体２の車外表示装置３６での広告情報の切り換え指示の処理と、これに基づく移動体側搭載装置１２の表示切換え部４０による表示切り換え処理、および図１３に示した緊急の広告表示依頼は、移動体２が車外表示装置３６に広告情報を表示せずに走行しているときに、システム管理装置１１から依頼を受けて広告情報を表示する通常の処理にも適用される。
【０１３７】
以上のように、本実施の形態の情報表示管理システムでは、走行中の移動体２に対して広告表示を依頼する場合、例えば広告表示せずに走行している移動体２に広告表示を依頼する場合や、広告表示をして走行している移動体２に表示広告の切り換えを依頼する場合等において、移動体２からの走行状態や走行環境を示す走行状態情報に基づいて、広告表示を依頼する移動体２を選択している。したがって、その広告表示に適した移動体２を適切に選択することができ、これにより高い広告効果を得ることができる。
【０１３８】
また、例えば所定の広告表示を終了した状態で走行している移動体２に対しても、その移動体２の前記走行条件に基づいて適当な広告表示を依頼することができるので、移動体２稼働率、即ち移動体２が広告表示を行った状態で走行する上での稼働率を高めることができる。
【０１３９】
また、移動体側搭載装置１２から送信さる走行条件情報に基づいて、広告主４が、広告表示を依頼している移動体２の走行状態や走行環境を知ることができ、システムに対する顧客（広告主４）からの信頼性を高めることできる。
【０１４０】
また、本実施の形態の情報表示管理システムでは、広告を表示した移動体２の走行状態や走行環境などの走行条件に応じて広告表示ポイントが計算されるので、移動体２の走行による広告効果を適切に反映して移動体側に広告表示料の支払いを行うことができる。
【０１４１】
また、移動体２の運転手が広告効果を意識した走行、即ち表示している広告を道路の通行人の多くに見てもらうことを意識した走行を行った場合には、それに応じて広告表示ポイント計算されるので、運転者の努力を適切に広告表示料に反映することができ、この結果、運転者の努力を促して広告効果を高めるようにすることも可能である。
【０１４２】
また、移動体２は、システム管理装置１１から、広告表示ポイントが高める上で最適な走行ルートの情報の提供を受けることができるので、広告表示ポイントの高い、即ち広告効果の高い走行ルートの選択が容易となる。
【０１４３】
また、移動体２の広告表示ポイントについての情報は、ほぼリアルタイムにシステム管理装置１１から移動体２および広告主４に送信されるので、移動体２の運転者は広告表示ポイントを確認しながらの走行が可能である。また、広告主４はその広告表示ポイントに基づき、移動体２による広告表示走行が行われていることを確認し、広告効果を予測し、さらに広告表示依頼についての請求金額を予測することができる。
【０１４４】
また、広告表示ポイントの支払いを受けた移動体２の運転者は、広告表示ポイントの残高に応じて提携店６において、商品の購入、例えばガソリンの購入や高速料金の支払いが可能である。
【０１４５】
なお、本実施の形態においては、移動体２が広告表示を行うものとして説明しているが、移動体２での表示は広告表示に限らず、依頼主からの依頼に基づく何らかの情報、例えば公共機関からの連絡などの表示であってもよい。
【０１４６】
また、本実施の形態においては、走行条件センサ３７にて検出された情報が、移動体側搭載装置１２の制御部３５にて広告表示ポイントに換算される構成としているが、この処理は、システム管理装置１１の制御部２２（表示ポイント計算部２３）にて行われる構成であってもよい。この場合、移動体側搭載装置１２からシステム管理装置１１へは、広告表示ポイントではなく、走行条件センサ３７にて検出された情報が送信される。
【０１４７】
また、移動体２として自動車を例にして説明しているが、移動体としては、自動車以外のもの、例えば、自転車、ロボット、船舶あるいはその他、移動体側搭載装置１２と搭載し、広告等の情報を表示可能であり、かつ通行人等にその表示情報を見てもらうことができる移動体であればよい。
【０１４８】
また、以上の実施の形態において、移動体２では車外表示装置３６による広告表示のみを行うようにしているが、音声を使用した広告を併せて行うようにしてもよい。
【０１４９】
また、システム管理装置１１および移動体側搭載装置１２が備える機能は、それら機能をコンピュータに実現させるプログラムとして提供されてもよく、またそのプログラムは、システム管理装置１１や移動体側搭載装置１２と分離可能（可搬可能）に構成される記録媒体、例えば、磁気テープやカセットテープ等のテープ系、フロッピーディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体に記録されていてもよい。
【０１５０】
【発明の効果】
以上のように、本発明の移動体による情報表示の管理システムは、外部用表示手段を搭載する移動体との情報の送受信を行う通信手段と、前記外部用表示手段での情報表示を希望する依頼者からの、前記移動体の移動条件を示す移動条件情報を含んだ依頼情報を記憶する表示依頼情報記憶手段と、前記通信手段により受信された前記移動体からの移動条件情報に基づいて前記依頼情報を検索し、前記移動体に送信する表示情報を選択する表示情報選択手段とを有するシステム管理装置を備えている構成である。
【０１５１】
上記の構成によれば、表示情報選択手段が、移動体の移動条件を示す移動条件情報、例えば移動体の移動地域や天気に基づいて前記依頼情報を検索し、移動体の外部用表示手段に表示される表示情報を選択する。したがって、その移動条件で移動している移動体に適した表示情報を適切に選択することができ、これにより高い情報表示効果を得ることができる。
【０１５２】
本発明の移動体による情報表示の管理システムは、外部用表示手段を搭載する移動体との情報の送受信を行う通信手段と、前記外部用表示手段での情報表示を希望する依頼者からの、前記移動体の移動条件を示す移動条件情報を含んだ依頼情報に基づいて、複数の移動体からの前記通信手段により受信された移動条件情報を検索し、情報表示依頼先の移動体を選択する移動体選択手段とを備えている構成である。
【０１５３】
上記の構成によれば、移動体選択手段が、移動体の移動条件を示す移動条件情報を含んだ依頼情報に基づいて、複数の移動体からの移動体の移動条件を示す移動条件情報、例えば移動体の走行地域や天気を検索し、情報表示依頼先の移動体を選択する。したがって、情報表示依頼先の移動体としてその表示情報に適した移動体を適切に選択することができ、これにより高い情報表示効果を得ることができる。また、この構成では、緊急の表示依頼があった場合にも対応可能である。
【０１５４】
本発明の移動体による情報表示の管理システムは、システム管理装置、および移動体に搭載される移動体側搭載装置を備え、前記移動体側搭載装置が、情報の送受信を行う通信手段と、前記移動体の移動条件を示す移動条件情報を検出する移動条件検出手段と、移動体の外部へ向けて情報を表示する外部用表示手段と、この外部用表示手段に、前記システム管理装置から受信した情報を表示させる表示制御手段とを備え、前記システム管理装置が、情報の送受信を行う通信手段と、前記外部用表示手段での情報表示を希望する依頼者からの、前記移動条件検出手段にて検出可能な移動条件情報を含んだ依頼情報を記憶する表示依頼情報記憶手段と、前記通信手段により受信された前記移動条件情報に基づいて前記依頼情報を検索し、前記移動体側搭載装置に送信する表示情報を選択する表示情報選択手段とを備えている構成である。
【０１５５】
上記の構成によれば、この管理システムでは、表示情報選択手段が、移動体の移動条件を示す移動条件情報、例えば移動体の移動地域や天気に基づいて前記依頼情報を検索し、移動体の外部用表示手段に表示される表示情報を選択する。したがって、その移動条件で移動している移動体に適した表示情報を適切に選択することができ、これにより高い情報表示効果を得ることができる。
【０１５６】
本発明の移動体による情報表示の管理システムは、システム管理装置、および移動体に搭載される移動体側搭載装置とを備え、前記移動体側搭載装置が、情報の送受信を行う通信手段と、前記移動体の移動条件を示す移動条件情報を検出する移動条件検出手段と、移動体の外部へ向けて情報を表示する外部用表示手段と、この外部用表示手段に、前記システム管理装置から受信した情報を表示させる表示制御手段とを備え、前記システム管理装置が、情報の送受信を行う通信手段と、前記外部用表示手段での情報表示を希望する依頼者からの、前記移動条件検出手段にて検出可能な移動条件情報を含んだ依頼情報に基づいて、複数の移動体側搭載装置からの前記通信手段により受信された移動条件情報を検索し、情報表示依頼先の移動体を選択する移動体選択手段とを備えている構成としてもよい。
【０１５７】
上記の構成によれば、この管理システムでは、移動体選択手段が、移動条件検出手段にて検出可能な移動条件情報を含んだ依頼情報に基づいて、複数の移動体側搭載装置からの移動体の移動条件を示す移動条件情報、例えば移動体の走行地域や天気を検索し、情報表示依頼先の移動体を選択する。したがって、情報表示依頼先の移動体としてその表示情報に適した移動体を適切に選択することができ、これにより高い情報表示効果を得ることができる。また、この構成では、緊急の表示依頼があった場合にも対応可能である。
【０１５８】
上記の管理システムにおいて、前記移動条件情報は、移動体自体の移動状態を示す移動状態情報と移動体が移動している環境を示す移動環境情報との少なくとも一方を含んでいる構成としてもよい。
【０１５９】
上記の構成によれば、移動条件情報は、移動体自体の移動状態を示す移動状態情報、例えば走行速度と移動体が走行している環境を示す移動環境情報、例えば移動体が移動している地域を示す情報や天気との少なくとも一方を含んでいる。したがって、システム管理装置の表示情報選択手段や移動体選択手段は、移動体の移動条件情報に基づいて、移動体に適した表示情報や情報表示依頼先の移動体の選択を、高い表示効果を得る上で、適切に行うことができる。
【０１６０】
上記の管理システムにおいて、前記移動状態情報は、移動体が移動している地域を示す情報である構成としてもよい。
【０１６１】
上記の管理システムにおいて、前記移動状態情報は、移動中の移動体に表示されている情報についての人による視認のし易さに関するものである構成としてもよい。
【０１６２】
上記の管理システムにおいて、前記移動環境情報は、移動体が移動している場所での人の密集度に関するものである構成としてもよい。
【０１６３】
上記の構成によれば、システム管理装置の表示情報選択手段や移動体選択手段は、移動体の移動状態情報、移動環境情報に基づいて、移動体に適した表示情報や情報表示依頼先の移動体の選択を、高い表示効果を得る上で、適切に行うことができる。
【０１６４】
上記の管理システムにおいて、前記システム管理装置は、さらに、前記通信手段により受信された前記移動条件情報に基づいて移動体での情報表示料を計算する情報表示料計算手段を備えている構成としてもよい。
【０１６５】
上記の構成によれば、情報表示料計算手段は、通信手段により受信された移動体の移動条件情報、例えば移動体の走行速度や天気、あるいは人の密集度を示す情報に基づいて移動体での情報表示料を計算する。この場合、移動体の移動条件は、移動中の移動体に表示されている情報についての人による視認のし易さや、移動体が移動している場所での人（通行人）の密集度、即ち移動体による情報の表示効果に影響する。したがって、前記移動条件情報に基づいて計算された情報表示料は、移動体による情報の表示効果を適切に反映したものとなる。
【０１６６】
また、情報表示料の計算は、移動体の移動予定によることなく、実際に移動体が移動しているときの前記移動条件情報に基づいて計算される。したがって、移動体が予め設定した移動予定、例えば走行時間帯や走行ルートを変更して移動した場合であっても、その移動に見合った、即ち情報表示効果を適切に反映した情報表示料を移動体に支払うことができる。
【０１６７】
上記の管理システムにおいて、前記システム管理装置は、前記移動体側搭載装置からの要求に応じて、前記情報表示料が高くなる移動ルートを検索し、得られた移動ルート情報を通信手段を介して移動体側搭載装置に供給する移動案内管理手段を備え、前記移動体側搭載装置は、内部用表示手段と、通信手段を介して受信した前記移動ルート情報に基づき、前記内部用表示手段に移動体の移動ルートを示す移動案内手段とを備えている構成としてもよい。
【０１６８】
上記の構成によれば、システム管理装置の移動案内管理手段は、移動体側搭載装置からの要求に応じて、情報表示料が高くなる移動ルートを検索し、得られた移動ルート情報を通信手段を介して移動体側搭載装置に供給する。移動体側搭載装置の移動案内手段は、システム管理装置から供給された移動ルート情報に基づき、内部用表示手段に移動体の移動ルートを表示させる。したがって、移動体は、システム管理装置からの移動ルート情報に基づいて、情報表示料が高くなる移動、即ち情報表示効果が高くなる移動を容易に行うことができる。
【０１６９】
上記の情報表示管理システムは、前記情報表示料計算手段が情報表示料を情報表示ポイントとして算出するものであり、さらに、前記情報表示料計算手段により算出された前記情報表示ポイントを蓄積する情報表示ポイント蓄積手段と、前記情報表示ポイントを使用して商品を購入可能な提携先とを含んでいる構成としてもよい。
【０１７０】
上記の構成によれば、移動体の運転手は、移動体での情報表示移動により得た情報表示ポイントを使用して、情報表示管理システムの提携先、例えばコンビニエンスストアやガソリンスタンドにおいて商品を購入可能となる。
【０１７１】
本発明のプログラムは、移動体に搭載された外部用表示手段での情報表示を希望する依頼者からの、前記移動体の移動条件を示す移動条件情報を含んだ依頼情報を表示依頼情報記憶手段に記憶させる表示依頼情報記憶ステップと、外部用表示手段を搭載する移動体と通信する通信ステップと、この通信ステップにより受信された前記移動体からの移動条件情報に基づいて前記依頼情報を検索し、前記移動体に送信する表示情報を選択する表示情報選択ステップとをコンピュータに実行させる構成である。
【０１７２】
したがって、このプログラムを実行するコンピュータでは、表示情報選択ステップにおいて、移動体の移動条件を示す移動条件情報、例えば移動体の移動地域や天気に基づいて前記依頼情報を検索し、移動体の外部用表示手段に表示される表示情報を選択する。これにより、その移動条件で移動している移動体に適した表示情報を適切に選択することができ、これにより高い情報表示効果を得ることができる。
【０１７３】
本発明のプログラムは、外部用表示手段を搭載する移動体と通信する通信ステップと、前記外部用表示手段での情報表示を希望する依頼者からの、前記移動体の移動条件を示す移動条件情報を含んだ依頼情報に基づいて、複数の移動体側搭載装置からの前記通信ステップにより受信された移動条件情報を検索し、情報表示依頼先の移動体を選択する移動体選択ステップとをコンピュータに実行させる構成である。
【０１７４】
したがって、このプログラムを実行するコンピュータでは、移動体選択ステップにおいて、移動体の移動条件を示す移動条件情報を含んだ依頼情報に基づいて、複数の移動体からの移動体の移動条件を示す移動条件情報、例えば移動体の走行地域や天気を検索し、情報表示依頼先の移動体を選択する。これにより、情報表示依頼先の移動体としてその表示情報に適した移動体を適切に選択することができ、これにより高い情報表示効果を得ることができる。また、この構成では、緊急の表示依頼があった場合にも対応可能である。
システム管理装置は、表示手段を搭載する移動体との情報の送受信を行う通信手段と、前記表示手段での情報表示を希望する依頼者からの、前記移動体の移動条件を示す移動条件情報および表示情報を記憶する情報記憶手段と、前記通信手段により受信された前記移動体からの移動条件情報に基づいて前記表示情報を検索し、前記移動体に送信する表示情報を選択する表示情報選択手段とを備え、前記通信手段は、当該システム管理装置と提携する提携先のサービスを享受するために該提携先の端末装置に対して利用可能な情報表示ポイントを、前記表示情報を表示した移動体に送信することを特徴としている。
前記移動体は、前記情報表示ポイントを用いてのサービス享受を、前記提携先の端末装置と通信することにより行う携帯端末装置を含んでおり、前記通信手段は、前記情報表示ポイントを、前記携帯端末装置に送信することを特徴としている。
システム管理装置は、前記依頼者からの移動条件情報および表示情報に基づいて、前記通信手段により受信された複数の移動体からの移動条件情報を検索し、情報表示依頼先の移動体を選択する移動体選択手段を備えていることを特徴としている。
前記移動条件情報は、移動体自体の移動状態を示す移動状態情報と移動体が移動している環境を示す移動環境情報との少なくとも一方を含んでいることを特徴としている。
前記移動状態情報は、移動体が移動している地域を示す情報であることを特徴としている。
前記移動状態情報は、移動中の移動体に表示されている情報についての人による視認のし易さに関するものであることを特徴としている。
前記移動状態情報は、前記移動体の移動距離および移動速度の少なくとも一方を含んでいることを特徴としている。
前記移動環境情報は、移動体が移動している場所での人の密集度に関するものであることを特徴としている。
前記移動環境情報は、気象情報、移動日時情報および前記移動体の周辺映像の少なくとも１つを含んでいることを特徴としている。
システム管理装置は、前記通信手段により受信された前記移動条件情報に基づいて、移動体での情報表示料を前記情報表示ポイントとして計算する情報表示料計算手段を備えていることを特徴としている。
前記情報表示料計算手段は、前記移動体の移動ルートに基づいて、前記情報表示ポイントを算出することを特徴としている。
システム管理装置は、前記移動体に与える情報表示ポイントが高くなる移動ルートを検索する移動案内管理手段を備え、前記通信手段は、前記移動ルートを示す移動ルート情報を前記移動体に送信することを特徴としている。
移動体は、システム管理装置から供給された表示情報を、前記表示手段に表示する移動体であって、前記システム管理装置と通信する通信手段と、当該移動体の移動条件を示す移動条件情報を検出する移動条件検出手段とを備え、前記通信手段は、前記移動条件検出手段が検出した移動条件情報を、前記システム管理装置に送信することを特徴としている。
移動体は、前記表示手段に前記表示情報を表示したことに対して与えられる前記情報表示ポイントを、前記システム管理装置から受信する携帯端末装置を含み、前記携帯端末装置は、前記提携先の端末装置と通信することにより、前記情報表示ポイントを利用することを特徴としている。
移動体による情報表示の管理システムは、上記システム管理装置と、上記移動体とを含むことを特徴としている。
システム管理装置の制御方法は、移動体による情報表示の管理システムを管理するシステム管理装置の制御方法であって、表示手段を搭載する移動体との情報の送受信を行う通信ステップと、前記表示手段での情報表示を希望する依頼者からの、前記移動体の移動条件を示す移動条件情報および表示情報を記憶する情報記憶手段から、前記通信ステップにて受信された前記移動体からの移動条件情報に基づいて前記表示情報を検索し、前記移動体に送信する表示情報を選択する表示情報選択ステップとを含み、前記通信ステップでは、前記システム管理装置と提携する提携先のサービスを享受するために該提携先の端末装置に対して利用可能な情報表示ポイントを、前記表示情報を表示した移動体に送信することを特徴としている。
【図面の簡単な説明】
【図１】本発明の実施の一形態の情報表示管理システムにおけるシステム管理装置の構成を示すブロック図である。
【図２】本発明の実施の一形態の情報表示管理システムにおける全体構成の概略説明図である。
【図３】図２に示した移動体側搭載装置の構成を示すブロック図である。
【図４】図２に示した広告主端末装置および移動体希望者端末装置の構成を示すブロック図である。
【図５】図２に示した銀行端末装置の構成を示すブロック図である。
【図６】図２に示した提携店端末装置の構成を示すブロック図である。
【図７】図２に示した情報表示管理システムにおいて、移動体側搭載装置がシステム管理装置に送信する情報と、移動体側搭載装置がシステム管理装置から受信する情報との説明図である。
【図８】図２に示した情報表示管理システムにおいて、システム管理装置が他の装置に送信する情報と、システム管理装置が他の装置から受信する情報との説明図である。
【図９】図２に示した情報表示管理システムにおいて、広告主から広告表示依頼があった場合の処理を示すフローチャートである。
【図１０】図２に示した情報表示管理システムにおいて、移動体の所有者から広告表示希望があった場合の処理を示すフローチャートである。
【図１１】図２に示した情報表示管理システムにおいて、移動体が広告を表示して走行する場合の移動体側搭載装置での動作を示すフローチャートである。
【図１２】図１１に示した移動体側搭載装置の動作に対応するシステム管理装置での動作を示すフローチャートである。
【図１３】図２に示した情報表示管理システムにおいて、広告主から緊急の広告表示依頼が生じたときの各装置の動作を示すフローチャートである。
【符号の説明】
１    管理会社
２    移動体
４    広告主
５    銀行
６    提携店（提携先）
１１    システム管理装置
１２    移動体側搭載装置
１３    インターネット
１４    広告主端末装置
１５    銀行端末装置（情報表示ポイント蓄積手段）
１６    提携店端末装置
２１    通信部（通信手段）
２３    表示ポイント計算部（情報表示料計算手段）
２４    ナビゲート管理部（移動案内管理手段）
２５    移動体・広告主マッチング部（表示情報選択手段、移動体選択手段）
２６    契約済移動体データベース
３１    通信部（通信手段）
３３    車内表示装置（内部用表示手段）
３４    記憶部
３６    車外表示装置（外部用表示手段）
３７    走行条件センサ（移動条件検出手段）
３８    ナビゲート部（移動案内手段）
３９    表示ポイント換算部
４０    表示切換え部（表示制御手段）
４１    走行状態センサ（移動条件検出手段）
４２    走行環境センサ（移動条件検出手段）
【図１】
0004657478.tif 000002
【図２】
0004657478.tif 000003
【図３】
0004657478.tif 000004
【図４】
0004657478.tif 000005
【図５】
0004657478.tif 000006
【図６】
0004657478.tif 000007
【図７】
0004657478.tif 000008
【図８】
0004657478.tif 000009
【図９】
0004657478.tif 000010
【図１０】
0004657478.tif 000011
【図１１】
0004657478.tif 000012
【図１２】
0004657478.tif 000013
【図１３】
0004657478.tif 000014